(57)【要約】  【課題】簡単な構成でスキュー調整を行うことが可能な画像読取装置を提供する。  【解決手段】原稿画像を読み取る読取ユニット３０１と、読取ユニット３０１を移動自在に支持するガイドレール３０２を備えたフレーム２０２と、読取ユニット３０１をガイドレール３０２に保持させるスライドガイド４０８とを有し、フレーム２０２のガイドレール３０２を支持する壁面２０２ａには、ガイドレール３０２の中心線４２１に対して直交する基準線４２２を形成する第１の突起４１１が部分的に設けられ、読取ユニット３０１の第１の突起４１１と対向する位置には読取ラインに対して平行な基準となる第２の突起４０７が設けられている。【選択図】図６
2014175916.tif 000002
【特許請求の範囲】
【請求項１】
原稿画像を読み取る読取ユニットと、前記読取ユニットを移動自在に支持するガイドレールを備えたフレームと、前記読取ユニットを前記ガイドレールに保持させるスライドガイドとを有し、前記フレームの前記ガイドレールを支持する壁面には、前記ガイドレールの中心線に対して直交する基準線を形成する第１の突起が部分的に設けられ、前記読取ユニットの第１の突起と対向する位置には読取ラインに対して平行な基準となる第２の突起が設けられていることを特徴とする画像読取装置。
【請求項２】
請求項１記載の画像形成装置において、
第１の突起及び第２の突起は水平方向に少なくとも２箇所設けられていることを特徴とする画像読取装置。
【請求項３】
請求項１または２記載の画像形成装置において、
第１の突起はその突出量が可変であることを特徴とする画像読取装置。
【請求項４】
請求項１ないし３の何れか一つに記載の画像形成装置において、
前記読取ユニットは密着イメージスキャナまたはレンズとＣＣＤとミラーとを保持した一体型光学走査ユニットであることを特徴とする画像読取装置。
【請求項５】
請求項１ないし４の何れか一つに記載の画像読取装置を有することを特徴とする自動原稿搬送装置。
【請求項６】
請求項１ないし４の何れか一つに記載の画像読取装置を有することを特徴とする画像形成装置。
【発明の詳細な説明】
【技術分野】
【０００１】
本発明は、フレームとガイドユニットとを副走査方向にガイドするガイドレールを備えた画像読取装置に関する。
【背景技術】
【０００２】
従来、密着イメージセンサ（ＣＩＳ）を用いた読取装置、またはレンズやＣＣＤ、ミラー等を保持した一体型光学走査の読取装置を有する画像形成装置において、読取装置を副走査方向にガイドするガイドレールに対して、読取装置の角度を調整する機構が既に知られている。このような技術の一例として、例えば「特許文献１」には、読取装置のスキューを調整するため、ガイドレールをスライドするスライドブロックと読取装置との間に、ガイドレールに対する読取装置の直角度を調整する手段を有する技術が開示されている。
【発明の概要】
【発明が解決しようとする課題】
【０００３】
しかし、読取装置の角度調整は、組立工程の中で専用の治具により調整が行われるが、分解が必要なメンテナンスをサービスマンが行った場合等では調整が困難であるという問題点がある。また、「特許文献１」に開示された技術には、スキュー調整の機構に関する記述はあるものの、スキューの調整方法に関する記述はない。  
本発明は上述の問題点を解決し、簡単な構成でスキュー調整を行うことが可能な画像読取装置の提供を目的とする。
【課題を解決するための手段】
【０００４】
請求項１記載の発明は、原稿画像を読み取る読取ユニットと、前記読取ユニットを移動自在に支持するガイドレールを備えたフレームと、前記読取ユニットを前記ガイドレールに保持させるスライドガイドとを有し、前記フレームの前記ガイドレールを支持する壁面には、前記ガイドレールの中心線に対して直交する基準線を形成する第１の突起が部分的に設けられ、前記読取ユニットの第１の突起と対向する位置には読取ラインに対して平行な基準となる第２の突起が設けられていることを特徴とする。
【発明の効果】
【０００５】
本発明によれば、ブラケットの密着イメージセンサまたはレンズ、ＣＣＤ、ミラー等を保持した一体型光学走査ユニットを取り付けるための長穴の中心を通る軸線が、ガイドレールに対して精度よく組み付けられるので、専用の治具を用いることなくスキューの調整を簡単に行うことができる。
【図面の簡単な説明】
【０００６】
【図１】本発明の一実施形態を適用可能な画像形成装置の概略斜視図である。
【図２】本発明の一実施形態を適用可能な画像読取装置の概略斜視図である。
【図３】本発明の一実施形態に用いられる画像読取装置を説明する概略図である。
【図４】本発明の一実施形態に用いられる読取ユニットを説明する概略斜視図である。
【図５】本発明の一実施形態に用いられる画像読取装置を説明する概略図である。
【図６】本発明の一実施形態に用いられる読取ユニットの位置決めを説明する概略図である。
【図７】本発明の一実施形態の変形例に用いられる読取ユニットの位置決めを説明する概略図である。
【発明を実施するための形態】
【０００７】
図１は、本発明の一実施形態を適用した画像形成装置を示している。同図において画像形成装置１００は、装置本体１０１の上部に画像読取装置１０２を有しており、画像読取装置１０２の上部には自動原稿搬送装置１０３が設けられている。
【０００８】
図２は、画像読取装置１０２を示している。画像読取装置１０２は、スキャナカバー２０１とフレームであるスキャナフレーム２０２とから主に構成されている。スキャナカバー２０１には、原稿を載置するフラットベッド読取面コンタクトガラス２０３とドキュメントフィーダ読取面コンタクトガラス２０４とが設けられている。
【０００９】
図３は、画像読取装置１０２の内部を示している。同図において画像読取装置１０２の内部には、図示しない照明や密着イメージセンサを保持した読取ユニット３０１、読取ユニット３０１を図３に矢印で示す副走査方向に向けて移動自在に支持するガイドレール３０２等が設けられている。読取ユニット３０１としては、レンズ、ＣＣＤ、ミラーを保持した一体型光学走査の読取ユニットでもよい。
【００１０】
図４は、読取ユニット３０１の構成を示している。同図において読取ユニット３０１は、密着イメージセンサまたはレンズ、ＣＣＤ、ミラー等を保持した一体型光学走査ユニット４０１がブラケット４０４によって保持されている。一体型光学走査ユニット４０１には主走査方向に延びる突起４０３が設けられており、読取面の主走査方向両端には当接部４０２が設けられている。ブラケット４０４には、その主走査方向両端に各突起４０３が嵌合する長穴４０５が、鉛直方向を長手としてそれぞれ形成されている。また、ブラケット底面と一体型光学走査ユニット４０１との間には、一体型光学走査ユニット４０１をコンタクトガラスへと付勢する一対の弾性部材４０６が配設されている。
【００１１】
ブラケット４０４の副走査方向に対して直交する垂直面４０４ａには、長穴４０５の中心を通る軸線４０９に対して平行な基準線４２０を形成する平面部を有する第２の突起４０７が、主走査方向に２個並設されている。読取ユニット３０１をガイドレール３０２に沿って副走査方向に移動させるためのガイド部材であるスライドガイド４０８は、ブラケット４０４の底面にねじ止めされている。
【００１２】
図５は、画像読取装置１０２の内部を上から見た図である。この図は組立前の状態を示しており、それぞれの部品の位置関係を示すものではなく、形状を説明する図である。同図においてブラケット４０４の底面には、スライドガイド４０８をねじ止めするための穴４１０が２箇所形成されており、各穴４１０は使用されるねじの径よりも若干大きな径となるように形成されている。スキャナフレーム２０２のガイドレール３０２を支持する壁面２０２ａには、ガイドレールの中心線４２１に対して直交する基準線４２２を形成する平面部を有する第１の突起４１１が、各第２の突起４０７とそれぞれ対応する位置に２個配置されている。
【００１３】
図６は、読取ユニット３０１をスキャナフレーム２０２に組み付ける状態を示している。先ず、ガイドレール３０２にスライドガイド４０８を嵌合させた状態で、スライドガイド４０８上にブラケット４０４を載置する。次に第１の突起４１１と第２の突起４０７とをそれぞれ互いに突き当て、この状態を保持しつつスライドガイド４０８をブラケット４０４にねじ止めして固定する。この構成により、ブラケット４０４の密着イメージセンサまたはレンズ、ＣＣＤ、ミラー等を保持した一体型光学走査ユニット４０１を取り付けるための長穴４０５の中心を通る軸線４０９が、ガイドレール３０２に対して精度よく組み付けられる。これにより、専用の治具を用いることなく、スキューの調整を簡単に行うことができる。
【００１４】
上述した実施形態において、第２の突起４０７に対して軸線４０９が斜めの状態で部品ができあがってしまった場合には、そのまま組み付けるとその傾き分がスキューとして現れてくる。そこで図７に示すように、第１の突起４１１の突出量をねじ等によって調整可能に構成することにより、部品毎のばらつきを吸収してスキュー量を調整することができる。なお、この調整を製品出荷前の組立工程で行っておくことにより、市場にてサービスマンが分解等を必要とするメンテナンスを行った場合でもサービスマンが各突起４０７，４１１を突き当てた状態で組み付けることによりスキューの調整を行うことができる。また、装置の設置状態等により本体がねじれてスキューが悪化する場合があるが、その場合でもサービスマンがフレーム側面のねじの送り量で突出量を調整することにより、スキューを調整して改善することができる。
【符号の説明】
【００１５】
１００  画像形成装置
１０２  画像読取装置
１０３  自動原稿搬送装置
２０２  フレーム（スキャナフレーム）
２０２ａ  壁面
３０１  読取ユニット
３０２  ガイドレール
４０７  第２の突起
４０８  スライドガイド
４１１  第１の突起
４２１  ガイドレールの中心線
４２２  基準線
【先行技術文献】
【特許文献】
【００１６】
【特許文献１】特開２０１２−１４５７８０号公報
【図１】
2014175916.tif 000003
【図２】
2014175916.tif 000004
【図３】
2014175916.tif 000005
【図４】
2014175916.tif 000006
【図５】
2014175916.tif 000007
【図６】
2014175916.tif 000008
【図７】
2014175916.tif 000009